(57)【要約】【課題】低背化と部品点数の低減を可能にした同軸コネクタ装置を提供することを目的とする。【解決手段】プラグ２５とレセプタクル２６の相互の信号用と接地用の接触部を同軸上で接離する同軸コネクタ装置において、前記プラグ２５の信号用接触部４０は、ハウジング２８の略中央に配置さればね性を有する導電性材料をＵ字形に折曲した前記プラグの信号用端子２７の先端近傍に形成され、前記レセプタクル側の信号用接触部４８に押し当て接触される。プラグ２５の信号用端子２７の信号用接触部４０が接触するレセプタクル２６側の信号用接触部４８は、レセプタクル２６を構成する回路基板４７に設けた回路パターンからなる。【選択図】図１
2015022974.tif 000002
【特許請求の範囲】
【請求項１】
プラグとレセプタクルの信号用と接地用の端子間を同軸上で相互に接離する同軸コネクタ装置において、前記プラグの信号用端子は、ハウジングの略中央に配置され、ばね性を有する導電性材料をＵ字形に折曲して形成され、このプラグの信号用端子の先端近傍に形成された信号用接触部を、前記レセプタクル側の信号用接触部に押し当て接触するようにしたことを特徴とする同軸コネクタ装置。
【請求項２】
プラグに設けられた接地用端子は、２個の半円弧部分を互いに円形に向かい合わせ、この半円弧部分の端部に接地用接触部を設け、前記半円弧部分の内側に突条部を設けてなり、レセプタクルに設けられた接地用端子は、前記プラグの接地用端子の円形部分の内側に嵌合する接地兼保持リング部を設け、この接地兼保持リング部の端部に接地用接触部を設け、前記接地兼保持リング部の外周部に、前記プラグに設けられた接地用端子の突条部に係脱する係止溝を設けてなることを特徴とする請求項１記載の同軸コネクタ装置。
【請求項３】
プラグのハウジングは、略中央にプラグの信号用端子を嵌合する差し込み孔を貫通して形成し、この差し込み孔の外側にプラグの接地用端子を嵌合する端子挿入溝を形成し、この端子挿入溝の底部に複数の位置固定孔を設けてなり、この位置固定孔に、前記プラグの接地用端子に設けた位置決め突起を嵌合して固定するようにしたことを特徴とする請求項１又は２記載の同軸コネクタ装置。
【請求項４】
プラグの信号用端子は、ハウジングの底面側に係止され、プラグ回路基板の信号用接触部に固着される接続部と、前記ハウジングの差し込み孔に収納されＵ字形に折曲したばね部と、前記差し込み孔から外方に斜めに突出し、レセプタクル側の信号用接触部に接離する接触部とが一体に形成され、プラグの接地用端子は、前記ハウジングに被せて固定するようにコ字形をなし、このコ字形の中央部に前記プラグの信号用端子の接触部が突出するための逃げ孔が形成されるとともに、この逃げ孔の側方に位置して前記レセプタクル回路基板の接地用接触部に接離される接地用接触部が斜めに切り起こし形成されたことを特徴とする請求項３記載の同軸コネクタ装置。
【請求項５】
プラグの信号用端子は、ハウジングの底面側に係止され、プラグ回路基板の信号用接触部に固着される接続部と、前記ハウジングの差し込み孔に収納されＵ字形に折曲したばね部と、前記差し込み孔から外方に斜めに突出し、レセプタクル側の信号用接触部に接離する接触部とが一体に形成され、プラグの接地用端子は、前記ハウジングに被せて固定するようにコ字形をなし、このコ字形の中央部に前記プラグの信号用端子の接触部が突出するための逃げ孔が形成されるとともに、この逃げ孔の側方に位置して前記レセプタクル回路基板の接地用のスルーホールに圧入接続される接地用接触部が直立して切り起こし形成されたことを特徴とする請求項１記載の同軸コネクタ装置。
【請求項６】
プラグの信号用端子の信号用接触部が接触するレセプタクル側の信号用接触部は、レセプタクルを構成する回路基板に設けた回路パターンからなることを特徴とする請求項１、２、３、４又は５記載の同軸コネクタ装置。
【発明の詳細な説明】
【技術分野】
【０００１】
本発明は、低背化と部品点数の低減を可能にした同軸コネクタ装置に関するものである。
【背景技術】
【０００２】
図１０に示すような回路基板１８に設けられたソケット側の信号用雌端子１３と、回路基板１９に設けられたプラグ側の雄端子２０からなる同軸コネクタ装置が従来から知られている（特許文献１）。
この図１０において、ソケット側は、回路基板１８の信号用パターン部１６に、Ｕ字形の信号用雌端子１３が一体の信号用接続脚部１４を介して接続され、この信号用雌端子１３は、絶縁筒体１２で包囲され、この絶縁筒体１２の外周の２箇所に接地用パターン部１７に接続されたアーム部１５が設けられている。
プラグ側は、回路基板１９の信号用パターン部２２に、雄端子２０が接続され、この雄端子２０の外周に、接地用パターン部２３に接続された筒状端子部２１が設けられている。
【０００３】
このような構成において、信号用雌端子１３に雄端子２０を圧入すると互いに電気的に接続され、また、筒状端子部２１がアーム部１５に圧接して電気的に接続される。
【先行技術文献】
【特許文献】
【０００４】
【特許文献１】特開２００９−１４０６８７号公報
【発明の概要】
【発明が解決しようとする課題】
【０００５】
従来の同軸コネクタ装置は、ソケット側とプラグ側が共に同軸構造であるため、それぞれが中心の端子、外周の端子、ハウジングの少なくとも３部品ずつで構成され、ソケット側とプラグ側を合わせて合計で少なくとも６部品を必要としていた。
また、信号用雌端子１３と雄端子２０との接触に必要なばねスパン、及びアーム部１５と筒状端子部２１の有効嵌合長の確保、強度確保に必要なハウジング厚さ等を加味しなければならず、同軸コネクタ装置としての低背化に限度があった。
本発明は、低背化と部品点数の低減を可能にした同軸コネクタ装置を提供することを目的とするものである。
【課題を解決するための手段】
【０００６】
本発明の同軸コネクタ装置は、プラグ２５とレセプタクル２６の相互の信号用と接地用の接触部を同軸上で接離する同軸コネクタ装置において、前記プラグ２５の信号用接触部４０は、ハウジング２８の略中央に配置さればね性を有する導電性材料をＵ字形に折曲した前記プラグの信号用端子２７の先端近傍に形成され、前記レセプタクル側の信号用接触部４８に押し当て接触されるようにしたことを特徴とする。
また、プラグ２５の信号用端子２７の信号用接触部４０が接触するレセプタクル側の信号用接触部４８は、レセプタクル２６を構成する回路基板４７に設けた回路パターンからなることを特徴とする。
【０００７】
プラグの信号用端子２７の信号用接触部４０が接触するレセプタクル側の信号用接触部４８と、前記レセプタクル２６の接地用接触部４６が接触するレセプタクル側の接地用接触部４９は、レセプタクル２６を構成する回路基板４７に設けた回路パターンからなるものとすることができる。
これらのレセプタクル側の信号用接触部４８と接地用接触部４９は、レセプタクル２６を構成する回路基板４７に設けた回路パターンからなる場合に限定されるものではなく、回路基板４７と異なる端子専用基板等に設けた回路パターンであってもよい。
プラグに設けられた接地用端子３２は、互いに円形に向かい合わせた２個の半円弧部分と、これら２個の半円弧部分の両端部に、プラグ側の回路基板４１の接地用接触部４３に半田付け等で固着される接地用接触部３４を有し、前記半円弧部分の内側に突条部３３を設ける。レセプタクルに設けられた接地用端子は、前記プラグの接地用端子３２の円形部分の内側に嵌合する接地兼保持リング部４４と、この接地兼保持リング部４４の端部に設けられ、レセプタクル回路基板４７の接地用接触部４９に接離される接地用接触部４６を有し、前記接地兼保持リング部４４の外周部に、前記プラグに設けられた接地用端子３２の突条部３３に係脱する係止溝４５を設けてなることを特徴とする。
【発明の効果】
【０００８】
請求項１記載の発明によれば、プラグとレセプタクルの信号用と接地用の端子間を同軸上で相互に接離する同軸コネクタ装置において、前記プラグの信号用端子は、プラグハウジングの略中央に配置され、ばね性を有する導電性材料をＵ字形に折曲して形成され、このプラグの信号用端子の先端近傍に形成された信号用接触部を、前記レセプタクル側の信号用接触部に押し当て接触するようにしたので、次の効果を有する。
（１）従来のように端子挿入溝に雄端子を嵌合圧入して接続する方法では、接触に必要なばねスパン、及びアーム部と筒状端子部の有効嵌合長の確保、強度確保に必要なハウジング厚さ等を加味しなければならず、同軸コネクタ装置としての低背化に限度があったが、本発明によれば、プラグがＵ字形に折曲したプラグの信号用端子を用いることで、プラグの信号用端子が押し当てられるだけの高さで済み、少なくとも従来の２分の１の高さとすることができる。
（２）従来の同軸コネクタ装置は、ソケット側とプラグ側が共に同軸構造であるため、それぞれが中心の端子、外周の端子、ハウジングの少なくとも３部品ずつで構成され、ソケット側とプラグ側を合わせて合計で少なくとも６部品を必要としていたが、本発明によれば、レセプタクルは、接地用接触部だけで済み、部品点数を減らすことができる。
【０００９】
請求項２記載の発明によれば、プラグに設けられた接地用端子は、２個の半円弧部分を互いに円形に向かい合わせ、この半円弧部分の端部に接地用接触部を設け、前記半円弧部分の内側に突条部を設けてなり、レセプタクルに設けられた接地用端子は、前記プラグの接地用端子の円形部分の内側に嵌合する接地兼保持リング部を設け、この接地兼保持リング部の端部に接地用接触部を設け、前記接地兼保持リング部の外周部に、前記プラグに設けられた接地用端子の突条部に係脱する係止溝を設けてなるので、プラグハウジングに組み込んだプラグの信号用端子と接地用端子は、プラグ回路基板の信号用接触部と接地用接触部へ半田付けし、また、レセプタクルの接地用端子は、レセプタクル回路基板の接地用接触部への半田付けだけで、同軸コネクタ装置の組み立てが済み、組み立て工程が大幅に簡略化される。
【００１０】
請求項３記載の発明によれば、プラグのハウジングは、略中央にプラグの信号用端子を嵌合する差し込み孔を貫通して形成し、この差し込み孔の外側にプラグの接地用端子を嵌合する端子挿入溝を形成し、この端子挿入溝の底部に複数の位置固定孔を設けてなり、この位置固定孔に、前記プラグの接地用端子に設けた位置決め突起を嵌合して固定するようにしたので、ハウジングに端子部を確実に固定できる。
【００１１】
請求項４記載の発明によれば、プラグの信号用端子は、ハウジングの底面側に係止され、プラグ回路基板の信号用接触部に固着される接続部と、前記ハウジングの差し込み孔に収納されＵ字形に折曲したばね部と、前記差し込み孔から外方に斜めに突出し、レセプタクル側の信号用接触部に接離する接触部とが一体に形成され、プラグの接地用端子は、前記ハウジングに被せて固定するようにコ字形をなし、このコ字形の中央部に前記プラグの信号用端子の接触部が突出するための逃げ孔が形成されるとともに、この逃げ孔の側方に位置して前記レセプタクル回路基板の接地用接触部に接離される接地用接触部が斜めに切り起こし形成されたので、信号用接触部と接地用接触部に圧接するときに位置ずれが発生するのを防止し、確実に接触する。
【００１２】
請求項５記載の発明によれば、プラグの信号用端子は、ハウジングの底面側に係止され、プラグ回路基板の信号用接触部に固着される接続部と、前記ハウジングの差し込み孔に収納されＵ字形に折曲したばね部と、前記差し込み孔から外方に斜めに突出し、レセプタクル側の信号用接触部に接離する接触部とが一体に形成され、プラグの接地用端子は、前記ハウジングに被せて固定するようにコ字形をなし、このコ字形の中央部に前記プラグの信号用端子の接触部が突出するための逃げ孔が形成されるとともに、この逃げ孔の側方に位置して前記レセプタクル回路基板の接地用のスルーホールに圧入接続される接地用接触部が直立して切り起こし形成されたので、プラグの信号用端子の信号用接触部をレセプタクル側の信号用接触部に圧接すると共に、プラグの接地用端子をスルーホールに挿入すると、突起がスルーホール内に圧入固定されると共に、プラグの信号用接触部とレセプタクルの信号用接触部の接続と、プラグの接地用接触部とレセプタクルの接地用接触部の接続が確実に行われる。
【００１３】
請求項６記載の発明によれば、プラグの信号用端子の信号用接触部が接触するレセプタクル側の信号用接触部は、レセプタクルを構成する回路基板に設けた回路パターンからなるので、レセプタクル側のハウジングを省略することができ、より一層の低背化と部品点数を減らすことができる。
【図面の簡単な説明】
【００１４】
【図１】本発明による同軸コネクタ装置の実施例１を示す接続状態の図４におけるＡ−Ａ線断面図である。
【図２】図１の接続前の断面図である。
【図３】本発明による同軸コネクタ装置のプラグ２５の正面図である。
【図４】本発明による同軸コネクタ装置のプラグ２５の背面図である。
【図５】本発明による同軸コネクタ装置のプラグ２５の背面から見た斜視図である。
【図６】本発明によるプラグ２５の分解斜視図である。
【図７】本発明によるレセプタクル２６の接地兼保持リング部４４を一部切り欠いた分解斜視図である。
【図８】本発明による同軸コネクタ装置の実施例２を示すもので、（ａ）は、プラグ２５の斜視図、（ｂ）は、プラグ２５とレセプタクル２６を接続した状態の縦断面図、（ｃ）は、回路基板４７の配線パターン図である。
【図９】本発明による同軸コネクタ装置の実施例３を示すもので、（ａ）は、プラグ２５の斜視図、（ｂ）は、プラグ２５とレセプタクル２６を接続した状態の縦断面図、（ｃ）は、回路基板４７の配線パターン図である。
【図１０】従来の同軸コネクタ装置１１の断面図である。
【発明を実施するための形態】
【００１５】
本発明は、プラグ２５とレセプタクル２６の相互の信号用と接地用の接触部を同軸上で接離する同軸コネクタ装置において、前記プラグ２５の信号用接触部４０は、ハウジング２８の略中央に配置さればね性を有する導電性材料をＵ字形に折曲した前記プラグの信号用端子２７の先端近傍に形成され、前記レセプタクル側の信号用接触部４８に押し当て接触されるようにしたことを特徴とする。
また、プラグ２５の信号用端子２７の信号用接触部４０が接触するレセプタクル側の信号用接触部４８は、レセプタクル２６を構成する回路基板４７に設けた回路パターンからなることを特徴とする。
【００１６】
実施例１として、図１〜図７に示すように、前記プラグ２５の接地用端子３２は、２個の半円弧部分を互いに円形に向かい合わせ、これら２個の半円弧部分の両端部にプラグの接地用接触部３４を有し、前記半円弧部分の内側に突条部３３を設ける。このプラグ２５を構成する回路基板４１に、プラグの信号用端子２７に接続するプラグ側の信号用接触部４２とプラグの接地用接触部３４に接続するプラグ側の接地用接触部４３とを設ける。前記プラグ側の信号用接触部４２と接地用接触部４３は、回路基板４１に形成された回路パターンとすることが望ましいが、必ずしもこれに限られるものではない。
レセプタクル２６は、前記プラグの接地用端子３２の円形部分の内側に嵌合する接地兼保持リング部４４とこの接地兼保持リング部４４の両端部に設けた接地用接触部４６を有し、前記接地兼保持リング部４４の外周部に、前記プラグ２５の突条部３３に係脱する係止溝４５を設ける。このレセプタクル２６を構成する回路基板４７に、前記プラグの信号用端子２７の信号用接触部４０と接続するレセプタクル側の信号用接触部４８と、前記レセプタクル２６の接地兼保持リング部４４の接地用接触部４６に接続するレセプタクル側の接地用接触部４９を設ける。前記レセプタクル側の信号用接触部４８と接地用接触部４９は、回路基板４７に形成された回路パターンとすることが望ましいが、必ずしもこれに限られるものではない。
【００１７】
また、プラグ２５のハウジング２８は、略中央にプラグの信号用端子２７を嵌合する差し込み孔３１を貫通して形成し、この差し込み孔３１の外側にプラグの接地用端子３２を嵌合する端子挿入溝３０を形成し、この端子挿入溝３０の底部に複数の位置固定孔５０を設け、この位置固定孔５０に、前記プラグの接地用端子３２に設けた位置決め突起３５を嵌合して固定するように構成する。
【００１８】
実施例２として、図８に示すように、プラグの信号用端子２７は、ハウジング２８の底面側に係止される接続部３８と、ハウジング２８の差し込み孔３１内に収納されＵ字形に折曲したばね部３９と、差し込み孔３１から上面側に斜めに突出した信号用接触部４０とを一体に形成し、プラグの接地用端子３２は、ハウジング２８の上から被せて固定するようにコ字形をなし、中央に前記プラグの信号用端子２７の信号用接触部４０が突出する逃げ孔５３を形成し、この逃げ孔５３の側方に位置して前記信号用接触部４０と交差する方向に斜めにプラグの接地用接触部３４を切り起こし形成し、レセプタクル２６を構成する回路基板４７に、前記プラグの信号用端子２７の信号用接触部４０と接続するレセプタクル側の信号用接触部４８と、前記プラグの接地用端子３２の接地用接触部３４に接続するレセプタクル側の接地用接触部４９を設けてなる構成とすることができる。
前記差し込み孔３１から上面側に斜めに突出した信号用接触部４０と、逃げ孔５３の側方に位置して斜めに切り起こし形成したプラグの接地用接触部３４との傾斜方向を交差する方向とすることにより、パターン部４８と４９に接触して付加される方向が垂直方向となり、接触がより確実となる。
【００１９】
さらに、実施例３として、図９に示すように、プラグの信号用端子２７は、ハウジング２８の底面側に係止される接続部３８と、ハウジング２８の差し込み孔３１内に収納されるＵ字形に折曲したばね部３９と、差し込み孔３１から外方に斜めに突出した信号用接触部４０とを一体に形成し、プラグの接地用端子３２は、ハウジング２８の上から被せて固定するようにコ字形をなし、中央に前記プラグの信号用端子２７の信号用接触部４０が突出する逃げ孔５３を形成し、この逃げ孔５３の側方に位置して直立したプラグの接地用接触部３４を切り起こし形成し、このプラグの接地用接触部３４の途中に突起５１を形成し、レセプタクル２６を構成する回路基板４７に、前記プラグの信号用端子２７の信号用接触部４０と接続するレセプタクル側の信号用接触部４８と、前記接地用プラグの接地用端子３２のプラグの接地用接触部３４を圧入接続するスルーホール５２を設けてなる構成とすることができる。
【実施例１】
【００２０】
以下、本発明の実施例１を図面に基づき説明する。
図２において、２５は、プラグであり、２６は、レセプタクルである。
前記レセプタクル２６は、図７に示すように、接地用端子としての導電性金属からなる円形の接地兼保持リング部４４と、この接地兼保持リング部４４の両側下端部に一体に設けられた２個の接地用接触部４６と、この２個の接地用接触部４６を半田等で固定的に取り付ける回路基板４７とからなり、前記接地兼保持リング部４４の全外周には、係止溝４５が形成されている。前記接地兼保持リング部４４と２個の接地用接触部４６とで接地用端子を構成している。また、前記回路基板４７の上面には、後述するプラグの信号用端子２７が接触するレセプタクル側の信号用接触部４８が形成され、このレセプタクル側の信号用接触部４８の両側に、前記２個の接地用接触部４６が接触して固定されるレセプタクル側の接地用接触部４９が設けられている。これらのレセプタクル側の信号用接触部４８と接地用接触部４９は、回路基板４７に形成された回路パターンとすることが望ましいが、必ずしもこれに限られるものではない。
【００２１】
前記プラグ２５は、図６に示すように、絶縁材料からなるハウジング２８と、導電性とばね性を有するプラグの信号用端子２７と、導電性の２個の接地用プラグの接地用端子３２と、これらを半田付け等で直接固定する回路基板４１とからなる。
前記ハウジング２８は、略四角形の薄い立方体をなし、中央には、前記プラグの信号用端子２７が嵌め込まれるほぼ長方形の差し込み孔３１が上下貫通して形成され、この差し込み孔３１の外周には、この差し込み孔３１で２つ割された２つ割筒部２９が設けられ、この２つ割筒部２９の外周には、有底の円形の端子挿入溝３０が形成され、この端子挿入溝３０の両側に位置して前記プラグの接地用端子３２の端部を外方に導出する溝となる端子板保持部３６が一体に設けられている。また、前記端子挿入溝３０の底部には、図４及び図５に示すように位置固定孔５０が貫通して形成されている。
【００２２】
前記ハウジング２８の差し込み孔３１には、図６に示すようなプラグの信号用端子２７が下から嵌め込まれ、このプラグの信号用端子２７の接続部３８がハウジング２８の底面に固定され、この接続部３８の先端部が接触板用切り欠き３７から一部突出し、また、プラグの信号用端子２７は、中間部がばね部３９となるようにＵ字形に屈曲し、上端の信号用接触部４０が図３に示すようにハウジング２８の２つ割筒部２９よりも外部に突出する。
前記プラグの接地用端子３２は、半円弧をなし、この半円弧部分の内側には、突条部３３が形成され、下面には、２個の位置決め突起３５が形成され、前記半円弧部分の両端部が外方へＵ字形に屈曲されてプラグの接地用接触部３４を構成している。このようなプラグの接地用端子３２が２個用意され、前記ハウジング２８の端子挿入溝３０に嵌め込むと、２つの半円弧部分で円弧状となり、プラグの信号用端子２７の外周に位置し、さらに、位置固定孔５０に位置決め突起３５を圧入固定する。また、プラグの接地用接触部３４は、端子板保持部３６の両側の溝に嵌め込まれつつプラグの接地用接触部３４の内面がハウジング２８の外側面に接するように組み込まれる。
【００２３】
前記プラグ２５は、図６に示す回路基板４１のプラグ側の信号用接触部４２にプラグの信号用端子２７の接続部３８を接触させるとともに、プラグの接地用端子３２のプラグの接地用接触部３４を回路基板４１のプラグ側の接地用接触部４３に接触させて半田等で固定して組み立てることにより構成される。
前記レセプタクル２６は、図７に示す回路基板４７のレセプタクル側の接地用接触部４９に接地用接触部４６を接触させて半田等で固定して構成される。
【００２４】
このようにして組み立てられたプラグ２５とレセプタクル２６は、図２に示すように、互いに向かい合わせてレセプタクル２６の接地兼保持リング部４４をプラグ２５のプラグの接地用端子３２の内側に位置させて嵌合する。すると、接地兼保持リング部４４の係止溝４５とプラグの接地用端子３２の突条部３３が図１に示すように互いに係合する。
係合した状態では、プラグの信号用端子２７がばね部３９で屈曲し、信号用接触部４０がレセプタクル側の信号用接触部４８に圧接して回路基板４１のプラグ側の信号用接触部４２と回路基板４７のレセプタクル側の信号用接触部４８が電気的に接続される。
【００２５】
この本発明の実施例１では、次の効果を有する。
（１）従来のように信号用雌端子１３に雄端子２０を嵌合圧入して接続する方法では、接触に必要なばねスパン、及びアーム部１５と筒状端子部２１の有効嵌合長の確保、強度確保に必要なハウジング厚さ等を加味しなければならず、同軸コネクタ装置としての低背化に限度があったが、本発明の実施例１では、プラグ２５がＵ字形に折曲したプラグの信号用端子２７を用いることで、プラグの信号用端子２７が押し当てられるだけの高さで済み、従来の２分の１の高さとすることができる。
（２）従来の同軸コネクタ装置は、ソケット側とプラグ側が共に同軸構造であるため、それぞれが中心の端子、外周の端子、ハウジングの少なくとも３部品ずつで構成され、ソケット側とプラグ側を合わせて合計で少なくとも６部品を必要としていたが、本発明の実施例１では、レセプタクル２６は、接地側端子だけで済み、部品点数を減らすことができる。
（３）プラグ２５は、ハウジング２８に組み込んだプラグの信号用端子２７とプラグの接地用端子３２を、回路基板４１のプラグ側の信号用接触部４２とプラグ側の接地用接触部４３への半田付け等で全体の組み立てが完了し、また、レセプタクル２６は、接地用接触部４６を回路基板４７のレセプタクル側の接地用接触部４９への半田付けだけで、同軸コネクタ装置としての組み立てが済み、組み立て工程が大幅に簡略化される。
【実施例２】
【００２６】
本発明の実施例２を図８に基づき説明する。
この実施例２では、プラグの信号用端子２７の形状は、実施例１と同一構成で、このプラグの信号用端子２７がハウジング２８の差し込み孔３１に下から嵌め込む構成も実施例１と同一構成である。
実施例１と異なるところは、プラグの接地用端子３２の形状が異なり、ハウジング２８の上からコ字形のプラグの接地用端子３２を被せ、このプラグの接地用端子３２の中央に、プラグの信号用端子２７の信号用接触部４０を突出させる逃げ孔５３を形成し、この逃げ孔５３の両側に、へ字形のプラグの接地用接触部３４を切り起こし形成する。このとき、信号用接触部４０とプラグの接地用接触部３４の傾斜角度を互い違いにすることで、図８（ｂ）のようにレセプタクル側の信号用接触部４８とレセプタクル側の接地用接触部４９に圧接するときに垂直方向に付勢され、位置ずれが発生するのを防止し、確実に接触する。
なお、図８（ｂ）のようにプラグ２５とレセプタクル２６の接触した状態を保持する機構は、回路基板４１と回路基板４７を互いに一定間隔で保持するための機構（図示せず）とすることができる。
【実施例３】
【００２７】
図９は、実施例３を示すもので、この実施例３では、プラグの信号用端子２７の形状は、実施例１及び２と同一構成で、このプラグの信号用端子２７がハウジング２８の差し込み孔３１に下から嵌め込む構成も実施例１及び２と同一構成である。また、プラグ２５がハウジング２８の上からコ字形のプラグの接地用端子３２を被せ、このプラグの接地用端子３２の中央に、プラグの信号用端子２７の信号用接触部４０を突出させる逃げ孔５３を形成し、この逃げ孔５３の両側に、プラグの接地用接触部３４を切り起こし形成する点は、実施例と同一構成としている。実施例２と異なるところは、プラグの接地用接触部３４は、プラグの接地用端子３２の両側端で垂直に切り起こし、このプラグの接地用接触部３４の途中に突起５１を形成したものである。また、回路基板４７のレセプタクル側の接地用接触部４９には、前記プラグの接地用接触部３４が挿入接続されるスルーホール５２が形成され、このスルーホール５２の内部まで導電性被膜を有するように形成される。
このような構成において、プラグの信号用端子２７の信号用接触部４０をレセプタクル側の信号用接触部４８に圧接すると共に、回路基板４１に固定したプラグの接地用接触部３４をスルーホール５２に挿入すると、突起５１がスルーホール５２内に圧入固定されると共に、信号用接触部４０とレセプタクル側の信号用接触部４８の接続と、プラグの接地用接触部３４とレセプタクル側の接地用接触部４９の接続が確実に行われる。
【００２８】
前記実施例では、プラグ２５の信号用端子２７の接触するレセプタクル側の信号用接触部４８と、前記プラグの接地用端子３２の接触するレセプタクル側の接地用接触部４９は、レセプタクル２６を構成する回路基板４７に設けた回路パターンからなるものとした。
しかし、これに限られるものではなく、プラグ２５のプラグの信号用端子２７の接触するレセプタクル側の信号用接触部４８と、前記プラグの接地用端子３２の接触するレセプタクル側の接地用接触部４９は、レセプタクル２６を構成するハウジングその他の基板等に設けた回路パターンからなるものであってもよい。
【符号の説明】
【００２９】
１１…従来の同軸コネクタ装置、１２…絶縁筒体、１３…信号用雌端子、１４…信号用接続脚部、１５…アーム部、１６…信号用パターン部、１７…接地用パターン部、１８…回路基板、１９…回路基板、２０…雄端子、２１…筒状端子部、２２…信号用パターン部、２３…接地用パターン部、２５…プラグ、２６…レセプタクル、２７…プラグの信号用端子、２８…ハウジング、２９…２つ割筒部、３０…端子挿入溝、３１…差し込み孔、３２…プラグの接地用端子、３３…突条部、３４…プラグの接地用接触部、３５…位置決め突起、３６…端子板保持部、３７…接触板用切り欠き、３８…接続部、３９…ばね部、４０…接触部、４１…回路基板、４２…プラグ側の信号用接触部、４３…プラグ側の接地用接触部、４４…接地兼保持リング部、４５…係止溝、４６…接地用接触部、４７…回路基板、４８…レセプタクル側の信号用接触部、４９…レセプタクル側の接地用接触部、５０…位置固定孔、５１…突起、５２…スルーホール、５３…逃げ孔。
【図１】
2015022974.tif 000003
【図２】
2015022974.tif 000004
【図３】
2015022974.tif 000005
【図４】
2015022974.tif 000006
【図５】
2015022974.tif 000007
【図６】
2015022974.tif 000008
【図７】
2015022974.tif 000009
【図８】
2015022974.tif 000010
【図９】
2015022974.tif 000011
【図１０】
2015022974.tif 000012